(57)【特許請求の範囲】
【請求項１】
移動可能に支持された家具部品(３)を家具カーカス（２）に対して閉位置に収納する家具駆動装置（７）であって、
ハウジング（９）と、
可動家具部品（３）に取り外し可能に連結される引き込み部材（３０）と、
前記引き込み部材（３０）に力を加えるばね装置（２９）と、
前記ハウジング（９）に配置または形成された少なくとも１つの案内路（２６）と、
を備え、
前記引き込み部材（３０）は前記案内路（２６）に沿って移動可能に配置され、
前記案内路（２６）は、前記引き込み部材（３０）を解放可能に係止する第１のベンド部（２７）を含み、
前記案内路（２６）は、前記引き込み部材（３０）を解放可能に係止するための少なくとも１つの第２のベンド部（２８）を含み、
第１および第２切り替え位置を有する少なくとも１つの可動式に支持されたスイッチ部材（１５）が設けられ、
前記引き込み部材（３０）が前記第２のベンド部（２８）内に移動できるように、前記第１切り替え位置において、前記スイッチ部材１５が前記第１のベンド部（２７）を塞ぎ、前記引き込み部材（３０）が第１のベンド部（２７）内に移動できるように、前記第２切り替え位置において、前記スイッチ部材（１５）が前記第１のベンド部（２７）を塞がない、
家具駆動装置。
【請求項２】
前記第１のベンド部（２７）への引き込み部材（３０）の入り込みを防止するために、前記スイッチ部材（１５）は、前記第１切り替え位置において、閉塞によって前記第１のベンド部（２７）を塞ぐ、
請求項１の家具駆動装置。
【請求項３】
前記スイッチ部材（１５）は、案内路（２６）に隣接して側方に配置され、引き込み部材（３０）の前記第１のベンド部（２７）への入り込みが防止されるように、前記第１切り替え位置において、引き込み部材（３０）を偏らせる
請求項１の家具駆動装置。
【請求項４】
前記スイッチ部材（１５）はハウジング（９）に移動可能に取り付けられる、
請求項１から３のいずれか１つの家具駆動装置。
【請求項５】
前記ばね装置（２９）とは別体のばね部材（３２）が設けられ、前記ばね部材によりスイッチ部材（１５）を前記第１切り替え位置に押し込むことができる
請求項１から４のいずれか１つの家具駆動装置。
【請求項６】
前記第１のベンド部（２７）と前記第２のベンド部（２８）とは、前記ハウジング（９）の長手方向に互いに離れている、
請求項１から５のいずれか１つの家具駆動装置。
【請求項７】
前記第１のベンド部（２７）および前記第２のベンド部（２８）は、少なくとも所定領域にわたって互いに平行に延びている
請求項１から３のいずれか１つの家具駆動装置。
【請求項８】
前記引き込み部材（３０）が前記第１のベンド部（２７）に解放可能に係止される位置における前記ばね装置（２９）は、前記引き込み部材（３０）が前記第２のベンド部（２８）に解放可能に係止される位置よりも、弱く引っ張られている
請求項１から７のいずれか１つの家具駆動装置。
【請求項９】
前記ばね装置（２９）は、引き込み部材（３０）とは別体のばねホルダ（３３）によって引っ張られ、
引き込み部材（３０）とばねホルダ（３３）とを動的に連結するための連結装置（３５）が設けられており、
前記連結装置（３５）により、ばねホルダ（３３）上のばね装置（２９）の固定位置（３９ｂ）は、引き込み部材（３０）が引き出されている際に、移動する引き込み部材（３０）の位置に対して後退する、
請求項１から８のいずれか１つの家具駆動装置。
【請求項１０】
前記引き込み部材（３０）は、変位可能なスライダ（４８）に接続されており、
前記連結装置（３５）は、前記ばねホルダ（３３）に連結される傾動部（３６）を備え、
前記傾動部（３６）は第１歯配列（４２）を有し、
前記連結装置（３５）は、前記スライダ（４７）上に配置された第２歯配列（４３）をさらに備え、
前記第１歯配列（４２）と第２歯配列（４３）は互いに接続されている
請求項９の家具駆動装置。
【請求項１１】
前記傾動部（３６）は制御曲線（４１）に沿って案内される、
請求項１０の家具駆動装置。
【請求項１２】
前記制御曲線（４１）は、制御曲線（４１）の頂点（４４）で互いに接続された第１区域（４１ａ）と第２区域（４１ｂ）とを有する、
請求項１１の家具駆動装置。
【請求項１３】
前記第１のベンド部（２７）が塞がれている、前記スイッチ部材（１５）の前記第１切り替え位置において、前記傾動部（３６）は、前記制御曲線（４１）の前記第１区域（４１ａ）に沿っておよび前記第２区域（４１ｂ）に沿って案内される、
請求項１２の家具駆動装置。
【請求項１４】
前記案内経路（２６）の前記第１のベンド部（２７）が塞がれていない、前記スイッチ部材（１５）の前記第２切り替え位置において、前記傾動部（３６）は、前記制御曲線（４１）の前記第１区域（４１ａ）に沿ってのみ案内される、
請求項１２または１３の家具駆動装置。
【請求項１５】
前記スイッチ部材（１５）は、前記第１および第２切り替え位置間を手動操作によって切り替えられる、
請求項１から１４のいずれか１つの家具駆動装置。
【請求項１６】
前記可動家具部品（３）を排出する排出装置（８）を取り付けることにより、前記スイッチ部材（１５）を前記第１および第２切り替え位置間で切り替えられ、
前記排出装置（８）は、前記家具駆動装置（７）の前記ハウジング（９）に後付けされる、
請求項１から１５のいずれか１つの家具駆動装置。
【請求項１７】
移動可能に取り付けられた家具部品（３）を閉端位置に収納する、請求項１から１６のいずれか１つの家具駆動装置（７）と、
閉位置から開位置に向けて、可動家具部品（３）を排出する排出装置（８）と、
を備える構造物。
【請求項１８】
家具カーカス（２）に取り付けられたカーカスレール（５）と、前記カーカスレール（５）に対して移動可能に取り付けられた少なくとも１つの延長レール（６）とを備え、
請求項１から１６のいずれか１つの家具駆動装置（７）または請求項１７の構造物をさらに備える
引き出しガイド（４）。
【発明の詳細な説明】
【技術分野】
【０００１】
本発明は、移動可能に支持された家具部品を家具のカーカスに対して閉位置に収納する家具駆動装置であって、
ハウジングと、
可動家具部品に取り外し可能に連結される引き込み部材と、
引き込み部材に力を加えるばね装置と、
ハウジングに配置または形成された少なくとも１つの案内路と、を備え、引き込み部材は案内路に沿って移動可能に配置され、案内路は、引き込み部材を解放可能に係止する第１のベンド部を含む家具駆動装置に関する。
【０００２】
本発明は、後述するタイプの家具駆動装置と、可動家具部品を排出する排出装置とを備え、可動家具部品は、排出装置によって閉位置から開位置に向けて排出される、構造物に関連する。さらに、本発明は、そのような家具駆動装置を備えた、または、前述のタイプの構造物を備えた引き出しガイドに関する。
【背景技術】
【０００３】
収納装置の形態の家具駆動装置（例えば、欧州特許第３９１２２１号公報に知られている）は、特に、その延長経路の広い領域にわたって自由に移動可能な引き出しまたは引き戸で採用されている。引き出しや引き戸は、収納装置の引き込み部材によって閉移動の終点で係合されており、ばねの力によって閉端位置に引っ張られている。可動家具部品が開かれると、使用者は、まず、所定の距離の後、引き込み部材が案内経路の湾曲部内に移動するまで、ばねの抵抗に抗して引っ張り力を加える必要があり、それによって、可動家具部品は引き込み部材から切り離される。湾曲部によって、引き込み部材は、停止された自動ロック式停止位置に解放可能に係止され、そこでは、ばね装置は引っ張られた状態にあり、それと共に、次の引き込み過程のための準備位置に位置される。閉端位置の終端までの可動家具部品の引き込み経路はそれによって一定である。
【先行技術文献】
【特許文献】
【０００４】
【特許文献１】欧州特許第３９１２２１号公報
【特許文献２】オーストリア特許出願公開５１４６６６号公報
【発明の概要】
【発明が解決しようとする課題】
【０００５】
しかしながら、オーストリア特許出願公開５１４６６６号公報が公開された当初から、特定のタイプの家具駆動装置が知られており、これには、引き込み部材は、異なる長さを有する少なくとも２つの案内経路に沿って引き込み部材が移動するかどうかを選択する調整手段を有する。このような構成では、ばね装置の異なるプレストレス条件での引き込み部材の引き込み経路の長さの調整が可能になる。調整手段の機能において、第１または第２の案内経路に係合する引き込み部材にペグが設けられる。したがって、ペグの形態の調整手段は引き込み部材に備えられている部分であるため、引き込み部材は製造するのにやや複雑である。さらに、移動可能なペグのために、引き込み部材は、一方の側でのみ（すなわち、ハウジングの一方の側のみ）案内されるおそれがあり、引き込み部材が望ましくない態様で傾けられる危険性がある。
【０００６】
本発明の目的は、導入部に記載されたタイプの家具駆動装置を提案し、それにより上記の欠点を回避することである。
【課題を解決するための手段】
【０００７】
この目的は、請求の範囲の請求項１の特徴によって達成される。さらに有益な構成が、従属する下位請求項に明示される。
【０００８】
したがって、本発明によれば、前記案内路は、前記引き込み部材を解放可能に係止するための少なくとも１つの第２のベンド部を含み、第１および第２切り替え位置を有する少なくとも１つの可動式に支持されたスイッチ部材が設けられ、前記引き込み部材が前記第２のベンド部内に移動できるように、前記第１切り替え位置において、前記スイッチ部材１５が前記第１のベンド部を塞ぎ、前記引き込み部材が第１のベンド部内に移動できるように、前記第２切り替え位置において、前記スイッチ部材は前記第１のベンド部を塞がない。
【０００９】
言い換えると、案内経路は、引き込み部材を解放可能に係止するためにハウジングの長手方向に互いに離間して配置された、少なくとも２つのベンド部を含み、可動家具部品を開ける際に、ベンド部内への引き込み部材の移動は、引き込み部材とは別体の可動式に支持されたスイッチ部材によって任意に制御される。スイッチ部材が第１の位置では、第１のベンド部が塞さがれているので、引き込み部材が第２のベンド部内に移動することができる。逆に、スイッチ部材が第２の位置では、第１のベンド部が塞がれていないので、引き込み部材が第１のベンド部内に移動する。
【００１０】
少なくとも２つのベンド部により、引き込み部材は、ハウジングに対して、互いに離れた少なくとも２つの位置において任意に係止され、引き込み部材の２つの異なる係止位置により、可動家具部品を収納するために、引き込み部材の異なる長さの２つの引き込み経路および２つの異なるばね力が利用される。
【００１１】
このようにして、引き込み部材の引き込み経路と、可動家具部品に作用するばね装置によってもたらされる力とを、可変的に調節することができる。小さな引き出しを有する場合、例えば、比較的短い引き込み経路で十分である。より大きくて、より重い引き出しを有する場合、引き出しは、その重量および発生する摩擦のために、閉端位置に完全に達する前に開位置にとどまることがあるかもしれない。引き込み経路の拡大（すなわち、引き込み部材の２つの端部位置間の相対距離の拡大）により、引き出しをより大きなばね力でより長い引き込み経路にわたって収納することができる。
【００１２】
したがって、第１切り替え位置におけるスイッチ部材が第１のベンド部を完全に塞ぐことは必須ではない。代わりに、第１切り替え位置にあるスイッチ部材が、第１のベンド部内への引き込み部材の移動を防止するような態様で配置されていれば十分である。
【００１３】
１つの実施態様によれば、前記第１のベンド部への引き込み部材の移動を防止するために、前記スイッチ部材は、前記第１切り替え位置において、閉塞によって前記第１のベンド部を塞ぐ。したがって、引き込み部材を引き抜く際に、第１のベンド部が少なくとも部分的に塞がれまたは障害物を置かれ、それとともに、引き込み部材が第１のベンド部に挿入されることを防止するように、第１切り替え位置にあるスイッチ部材が配置される。
【００１４】
別の実施態様によれば、前記スイッチ部材は、案内路に隣接して側方に配置され、引き込み部材の前記第１のベンド部への移動が防止されるように、前記第１切り替え位置において、引き込み部材を偏らせる。したがって、この実施態様では、スイッチ部材は、案内経路の横側または外側に横方向に配置され、延長方向に向かって移動している引き込み部材を逸らすかまたは方向を変えることによって、第１のベンド部内に移動するのを防止する。
【００１５】
本発明の範囲内では、用語「ベンド部」は、曲がり形状の湾曲部を含むと理解されるだけでなく、案内経路の斜面部も含むと理解される。
【００１６】
本発明のさらなる利点は、そのような家具駆動装置が、閉位置から開位置に向けて可動家具部品を排出する追加の排出装置を備えていることにある。そのような排出装置は、しばしば、タッチラッチ機構によって解放される少なくとも１つの、好ましくは係止可能なエネルギー蓄積部材を有する。これらのタッチラッチシステムは、可動家具部品に（例えば美的な理由により）把持ハンドルがない場合に特に用いられる。これにより、閉じられた家具部品に手動で押す力または引っ張り力を加えることにより、排出装置のロックを解放することができ、移動可能に支持された家具部品は、エネルギー蓄積部材（好ましくは排出ばね）の力によって開位置に向けて排出される。その後、人は、わずかに開いた家具部品を、（把持ハンドルの配置がなくても）前面プレートの後ろを把持することによって引き出し方向にさらに移動させることができる。
【００１７】
引き込み機能を備えた家具駆動装置と排出装置とが互いに連結されると、多くの場合、引き込みばねの操作力と排出ばねの操作力とが逆方向に作用して互いに干渉する問題がある。排出装置を併用する場合に、スイッチ部材の調整によって、引き込み部材の引き込み経路を短くすることが可能になり、排出装置のエネルギー蓄積部材は、引き込み部材のそれぞれのより短い引き込み経路と、第１の家具駆動装置のばね装置の減少した力を達成するだけでよい。
【００１８】
しかしながら、追加の排出装置として用いる場合、可動家具部品の収納動作時に頻繁に影響されるエネルギー蓄積部材にエネルギーを蓄える必要がある。しかしながら、排出ばねに荷重される力は、可動家具部品の収納動作の力に抗して作用しており、過度に長い引き込み経路は、可動家具部品を閉位置に完全に引き込むことができない、という結果につながる可能性がある。スイッチ部材を第２切り替え位置に調整することにより、家具駆動装置の短縮された引き込み経路が与えられるので、この問題を解決することができる。短縮された引き込み経路によって、排出装置のエネルギー蓄積部材に完全にエネルギーを蓄積することができ、さらに、家具駆動装置の閉じる力によって可動家具部品を閉位置に完全に安全に引き込むことができる。
【００１９】
スイッチ部材は、例えば、手動操作によって、または、第１および第２切り替え位置間の器具による作動によって切り換えることができる。１つの実施態様によれば、もう１つの方法として、可動家具部品を排出する排出装置を装着することにより、スイッチ部材を第１および第２の切り替え位置間で切り替え、排出装置は家具駆動装置のハウジングに後付け式に接続されることも可能である。あるいは、スイッチ部材は、電気機械スイッチまたは電子スイッチ（例えば、トランジスタ）を含んでもよい。
【００２０】
図面の以下の説明を参照して、本発明をさらに詳細に、その利点も説明する。
【図面の簡単な説明】
【００２１】
【図１】家具カーカスおよびそれに移動可能な引き出しを有する家具製品の斜視図
【図２ａ】引き出しガイドの斜視図
【図２ｂ】図２ａの拡大詳細図
【図３ａ】可動家具部品を閉位置に収納する家具駆動装置と、その上に取り付けられる排出装置とを備えた引き出しガイドの斜視図
【図３ｂ】排出装置の取り付けの拡大詳細図
【図３ｃ】排出装置の取り付けの拡大詳細図
【図４ａ】閉位置にある引き込み部材を備えた家具駆動装置の側面図
【図４ｂ】図４ａの拡大詳細図
【図４ｃ】部分的に隠れている構成部材を有する図
【図５ａ】スイッチ部材が第１切り替え位置に位置しており、それによって案内経路の第１のベンド部を塞いでいる場合の、時系列的な引き込み部材の伸長過程
【図５ｂ】スイッチ部材が第１切り替え位置に位置しており、それによって案内経路の第１のベンド部を塞いでいる場合の、時系列的な引き込み部材の伸長過程
【図５ｃ】スイッチ部材が第１切り替え位置に位置しており、それによって案内経路の第１のベンド部を塞いでいる場合の、時系列的な引き込み部材の伸長過程
【図５ｄ】スイッチ部材が第１切り替え位置に位置しており、それによって案内経路の第１のベンド部を塞いでいる場合の、時系列的な引き込み部材の伸長過程
【図６ａ】スイッチ部材が第２切り替え位置に位置しており、それによって引き込み部材の入り込みが可能となるように案内経路の第１のベンド部を解放している場合の、時系列的な引き込み部材の伸長過程
【図６ｂ】スイッチ部材が第２切り替え位置に位置しており、それによって引き込み部材の入り込みが可能となるように案内経路の第１のベンド部を解放している場合の、時系列的な引き込み部材の伸長過程
【図６ｃ】スイッチ部材が第２切り替え位置に位置しており、それによって引き込み部材の入り込みが可能となるように案内経路の第１のベンド部を解放している場合の、時系列的な引き込み部材の伸長過程
【図６ｄ】スイッチ部材が第２切り替え位置に位置しており、それによって引き込み部材の入り込みが可能となるように案内経路の第１のベンド部を解放している場合の、時系列的な引き込み部材の伸長過程
【図７】家具駆動装置の分解図
【図８】引き込み部材のための案内路と、力低減機構のロッカ部材の制御曲線との概略図
【図９ａ】第１のベンド部への引き込み部材の入り込みが防止されるように、第１のスイッチング位置にあるスイッチ部材が引き込み部材を偏らせる、少し変形された実施形態の家具駆動装置
【図９ｂ】第１のベンド部への引き込み部材の入り込みが防止されるように、第１のスイッチング位置にあるスイッチ部材が引き込み部材を偏らせる、少し変形された実施形態の家具駆動装置
【図１０ａ】スイッチ部材が第１切り替え位置に位置しており、伸長方向における引き込み部材の異なる位置での、図９ａ、図９ｂの部分図である。
【図１０ｂ】スイッチ部材が第１切り替え位置に位置しており、伸長方向における引き込み部材の異なる位置での、図９ａ、図９ｂの部分図である。
【図１０ｃ】スイッチ部材が第１切り替え位置に位置しており、伸長方向における引き込み部材の異なる位置での、図９ａ、図９ｂの部分図である。
【図１１ａ】スイッチ部材が前記第２切り替え位置に位置しており、引き込み部材の２つの異なる位置での図９ａ、図９ｂの家具駆動装置の部分図
【図１１ｂ】スイッチ部材が前記第２切り替え位置に位置しており、引き込み部材の２つの異なる位置での図９ａ、図９ｂの家具駆動装置の部分図
【図１２】スイッチ部材を第１切り替え位置から第２切り替え位置に切り換えることができる、排出装置の家具駆動装置への取り付け過程
【発明を実施するための形態】
【００２２】
（実施の形態）
図１は、家具カーカス２を有する家具製品１の斜視図を示す。引出し３ａの形態の可動家具部品３は、引き出しガイド４により家具カーカス２に対して移動可能である。引き出しガイド４は、家具カーカス２に固定されるカーカスレール５と、カーカスレール５に対して移動可能に支持された少なくとも１つの延長レール６と、を備える。可動家具３は、家具駆動装置７により、家具カーカス２に対して閉じた位置に引き入れられる。さらに、可動家具部品３を閉じた位置から開いた位置に向けて排出することができる排出装置８が設けられている。
【００２３】
図２ａは、カーカスレール５と延長レール６とを備えた引き出しガイド４の斜視図を示しており、カーカスレール５と延長レール６との間に中間レール１１が長くするように延長されている。図に示されるように、延長レール６が開く方向１２に引っ張られるように、引き出しガイド４は閉じた位置に位置している。延長レール６は断面がＵ字形であり、家具駆動装置７のハウジング９は、好ましくはネジの形態の固定手段により、延長レール６の側部リム１４に取り付けられている。家具駆動装置７により、延長レール６は閉動作が終了する閉端位置に引き入れられる。家具駆動装置７は、ハウジング９に対して移動可能に取り付けられたスイッチ部材１５を備え、スイッチ部材１５は、少なくとも２つの切り替え位置の間で、好ましくは変位または回転して切り替えることができる。スイッチ部材１５を切り替えることにより、家具駆動装置７の引き込み部材３０（図４ａ）を、異なる長さを有する少なくとも２つの距離にわたって引き込み部材３０の閉端位置に引っ張ることができる。図に示されるように、スイッチ部材１５は第１切り換え位置にあり、この位置では、引き込み部材３０（と共に延長レール６）のための長い引き込み経路が設けられている。図２ｂは、図２ａの丸で囲んだ部分を拡大図で示す。
【００２４】
引き出し３ａの後側端部を固定するために、フック１６が延長レール６に設けられており、フック１６は、取付け位置において、引き出しの後部壁の裏側に配置された孔の中に突出する。引出し３ａの前側端部を固定するために、手動で操作される連結レバー１７が、延長レール６の前側端部に設けられており、連結レバー１７はラッチ端を有し、ラッチ端は、連結レバー１７の弾性的な構成により、引き出し３ａに取り付けられた運搬レールに解放可能に自動的に掛けられる。さらに、家具駆動装置７のハウジング９は、排出装置８の対応する凹部に係合可能な複数のフック１９を有する。遊びのない配置のために、少なくとも１つの突起２１が家具駆動装置７のハウジング９上に形成され、突起２１は、取り付け位置において、排出装置８のハウジング２２に当たる。固定されたカーカスレール５には、排出装置８に連結可能な排出留め具１３が取り付けられている。
【００２５】
図３ａは、延長レール６に固定された家具駆動装置７を備えた引き出しガイド４を示している。排出装置８のハウジング２２は、家具駆動装置７のハウジング９に解放可能に固定することができる。排出装置８は、調節ホイール２４を備え、これにより、閉位置における引出し３ａの位置を可変的に調整することができる。さらに、排出装置８は、排出装置８の移動が家具カーカス２の反対側に配置された第２排出装置８の移動と同期される回転部２５を備える。
【００２６】
図３ａおよび図３ｂによる拡大詳細図を参照すると、排出装置８のハウジング２２は、図２に示されるフック１９により家具駆動装置７のハウジング９に対して予め位置決めされており、排出装置８のハウジング２２は、スイッチ部材１５を作動させるための停止部２３を有する。図３ａおよび図３ｂに示される前段階の位置から、図示の矢印の方向に手動で圧力を加えることにより、排出装置８のハウジング２２を家具駆動装置７のハウジング９に対して変位させることができ、停止部２３が、第１切り替え位置から図３ｃの第２切り替え位置へと右にスイッチ部材１５を変位させる。図３ｃに示される第２切り替え位置では、家具駆動装置７の引き込み部材３０（図４ａ）の退避経路が、第１切り替え位置と比較して、縮小されて設けられているので、排出装置８のエネルギー蓄積部材は、閉じた位置から引出し３ａを排出する際、引き込み部材３０の縮小された引き込み経路およびばね装置２９の減少した力をそれぞれ超えるだけでよい。
【００２７】
図４ａは家具駆動装置７の側面図を示し、ハウジング９には、ハウジング９の長手方向に互いに離間した少なくとも２つのベンド部２７、２８を有する案内路２６が形成または設けられている。これにより、ハウジング９上に移動可能に配置されたスイッチ部材１５は、第１切り替え位置に位置され、第１のベンド部２７が塞がれる。ばね装置２９によって作用され、移動可能な家具部品３に解放可能に連結される引き込み部材３０は、少なくとも１つの案内部材３１により案内路２６に沿って移動可能に案内される。ばね装置２９は、好ましくは少なくとも１つの引っ張りばねを備え、第１固定位置３９ａにおいてハウジング９に固定され、第２固定位置３９ｂにおいて、引き込み部材３０とは分離されたばねホルダ３３に固定されており、ばねホルダ３３は、連結装置３５（図４ｃ）によって引き込み部材３０に移動可能に連結されている。引き込み部材３０は、延長レール６または可動家具部品３に固定された連結部材（好ましくは、引き込みペグ）を解放可能に連結するためのノッチ３８を有する。２つのベンド部２７、２８により、引き込み部材３０は、ハウジング９に対して２つの異なる位置に別の方法で解放可能に係止することができ、引き込み部材３０が解放可能に第１のベンド部２７に係止される位置におけるばね装置２９は、引き込み部材３０が第２のベンド部２８に解放可能に係止される位置と比較して、より少ない程度に引っ張られる。第１のベンド部２７および第２のベンド部２８は、少なくともある領域にわたって互いに平行に延びている。スイッチ部材１５は、ばね部材３２によって、ベンド部２９が塞がれている第１の切り替え位置に押し込まれ、ばね部材３２は、ばね装置２９から分離している。このようにして、引き込み部材３０のためのより長い引き込み経路が提供されている。引き込み部材３０のばね補助引き込み運動（および可動家具部品３のそれ）は、減衰装置３７、好ましくは油圧ピストンシリンダユニットによって減衰される。
【００２８】
図４ｂは、図４ａの囲まれた領域の拡大図である。示された実施形態において、引き込み部材３０は、好ましくは回転軸４８を中心にして変位可能なスライダ４７に接続され、連結装置３５は、ボルト４５を中心として回転可能に支持される傾動部３６を備える。ボルト４５は、ばねホルダ３３に配置され、スライダ４７の長孔４６に沿って滑るように支持されている。傾動部３６は、制御曲線４１に沿って移動可能に案内される少なくとも１つの案内部４０を有する。
【００２９】
図４ｃは、図４ｂの詳細図を示す。ここでは、スライダ４７の長孔４６は示されていない。連結装置３５は、回転可能に取り付けられた傾動部３６を備え、傾動部３６の第１歯配列４２は、スライダ４７の第２歯配列４３と係合する。連結装置３５により、ばね装置２９の固定位置３９ｂは、開口方向に向かって移動している引き込み部材３０の位置に対して後退し、テンション経路の端部において、ばね装置２９の固定位置３９ｂは、引き込み部材３０の移動よりも遅い。これにより、ばね装置２９の負荷が軽減されるので、望ましくないバネ分離力と、それと関連する可動家具部品３の不当な加速が、可動家具部品３からの取り込み部材３０の分離時に防止される。傾動部３６を案内するための制御曲線４１は、頂点４４によって互いに接続された第１区域４１ａと第２区域４１ｂとを備える。
【００３０】
図５ａ−図５ｄは、時系列的な引き込み部材３０の伸長過程を示す。図４ａ−４ｃの閉位置から、引っ張り力を可動家具部品３に手動で加えることによって、引込み部材３０を、案内路２６の直線延在部２６ａ（図８）に沿って最初に案内することができる。引き込み部材３０は、変位可能なスライダ４７に回転軸４８により回転可能に接続され、スライダ４７の歯配列４３は、傾動部３６の歯配列４２とかみ合う。傾動部３６は、固定位置３９ｂでばね装置２９に連結されているばねホルダ３３にヒンジ結合されている。傾動部３６は、制御曲線４１に沿って案内されるガイド部４０を有する。図５ａ−５ｄにおいて、スイッチ部材１５は第１切り替え位置にあり、したがって、第１のベンド部２７は引き込み部材３０の入り込みのために塞がれ、引き込み部材３０は長い案内路２６に沿って案内され、その後、第２のベンド部２８に解放可能に係止することができる。
【００３１】
図５ｂにおいて、引き込み部材３０はわずかに伸長した位置に配置され、傾動部３６の案内部４０は制御曲線４１の頂点４４に位置する。ばねホルダ３３上のばね装置２９の固定位置３６ｂは、最初は、伸長方向に向かって移動している引き込み部材３０と同じ速度で移動する。
【００３２】
図５ｃにおいて、引き込み部材３０はさらに伸ばされて、傾動部３６の案内部４０は、スイッチ部材１５の第１の切り替え位置において、制御曲線４１の区域４１ａおよび４１ｂに沿って案内される。歯配列４２、４３の相互係合および傾動部３６の回転運動により、固定位置３９ｂは、連続的に減速を開始し、その結果、ばね装置２９は、最大ばね偏位まで引っ張られない。
【００３３】
図５ｄにおいて、引き込み部材３０は、第２のベンド部２８との相互作用によって回転軸４８の周りに回転され、その結果、引き込み部材３０は第２のベンド部２８に係止され、停止した自己係止開始位置に位置する。引き込み部材３０の回転運動によって、延長レール６の連結部材（図示省略）が解放され、可動家具部品３は、非連結状態で開放位置に向かってさらに変位することができる。上述の連結部材は、可動家具部品３が閉じられているときに、引き込み部材３０が、移動可能な家具部品３とともに、ばね装置２９の力によって閉じた位置に引っ張られるとすぐ、図５ｄの位置から、再び引き込み部材３０をその停止した自己係止準備位置から解放することができる。シリンダ３７ａとこれに変位可能なピストンロッド３７ｂとを有する減衰装置３７によって、ピストンロッド３７ｂの自由端が変位可能なスライダ４７に緩く当接すると、引き込み部材３０のばね付勢された引き込み運動を減衰させることができる。
【００３４】
図６ａは家具駆動装置７を示しており、ハウジング９に対して移動可能に取り付けられているスイッチ部材１５が、第２切り替え位置に移動されているので、第１案内路２７は引き込み部材３０の入り込みが解放されている。スイッチ部材１５の切り替えは、機械的にのみ行うことができ、好ましくは、家具駆動装置７のハウジング９への排出装置８（図３ｂ、３ｃ）の後付けにより行われる。ばね部材３２が圧縮された状態にあることが分かり、排出装置８が取り外されているとき、スイッチ部材１５は、弛緩するばね部材３２の力によって自動的に第１切り替え位置に戻される。図６ａに示すように、引き込み部材３０は収縮した端部位置に位置しており、ばね装置２９は弛緩状態にある。
【００３５】
図６ｂは、可動家具部品３に手で引っ張る力を加えることによって、引き込み部材３０を、まず案内路２６の直線状の延在部２６ａ（図８）に沿って移動させることができることを示す。傾動部３６を有する連結装置３５によって、その歯配列４２は、変位可能なスライダ４７の歯配列４３と相互作用し、力低減機構が実現され、ばねホルダ３３上のばね装置２９の固定位置３９ｂは、引き込み部材３０が引き抜かれると、開き方向に移動している引き込み部材３０の位置に戻る。傾動部３６は、制御曲線４１（図６ａ）に沿って移動可能に案内される案内部４０を有する。
【００３６】
図６ｃは、図６ｂと比較して、引き込み部材３０がさらに伸ばされた引っ張り位置を示す。固定位置３９ｂでのばね装置２９の非対称的連結により、引き込み部材３０の案内部材４０は、第１のベンド部２７に向かう方向に横方向に偏る傾向があり、その結果、引き込み部材３０は、第２のベンド部２８に向かってさらに移動しない。第１のベンド部２７および第２のベンド部２８は、少なくともある領域にわたって互いに平行に延びてもよい。
【００３７】
図６ｄにおいて、引き込み部材３０は、第１のベンド部２７に解放可能に係止されており、延長レール６に連結されている連結部材は、回転軸４８を中心とする引き込み部材３０の回転運動によって解放される。引き込み部材３０が第１のベンド部２７に係止されている、図示された位置において、ばね装置２９は、取り込み部材３０が第２のベンド部２８に解放可能に係止されている位置のような延びより少なく張られている。スイッチ部材１５の少なくとも２つの位置によって、異なる長さを有する少なくとも２つの引き込み経路が引き込み部材３０に設けられ、ばね装置２９の少なくとも２つの異なる引き込み力が利用できる。
【００３８】
図７は、家具駆動装置７を分解図で示している。ハウジング９は、互いに連結される２つのハウジング部分９ａ、９ｂを備え、ハウジング部分９ａ、９ｂには、ハウジング９の長手方向に互いに離間した２つのベンド部２７、２８を有する引き込み部材３０のための案内路２６が形成されている。また、ハウジング９には傾動部３６のための制御曲線４１が形成されており、制御曲線４１は、頂点４４で互いに接続された第１区域４１ａと第２区域４１ｂとを有している。減衰装置３７を解放可能に固定するために、弾性ホルダ５０ａおよび５０ｂがハウジング９に設けられており、シリンダ３７ａをホルダ５０ａおよび５０ｂに留めることができる。ばね装置２９は、第１固定位置３９ａでハウジング９に接続され、第２固定位置３９ｂでばねホルダ３３に接続され、ばねホルダ３３は、スライダ４７の長孔４６に沿ってボルト４５を介して移動可能に案内される。歯配列４２を有する傾動部３６がばねホルダ３３に接続され、歯配列４２がスライダ４７の歯配列４３（図示せず）と相互作用する。引き込み部材３０は、回転軸４８によってスライダ４７にヒンジ結合されている。引き込み部材３０は、案内部材３１を有し、これにより、引き込み部材３０をハウジング９の案内路２６に沿って案内し、引き込み部材３０を２つのベンド部２７、２８に解放可能に係止することができる。引き込み部材３０は可動家具部品３を解放可能に連結するためのノッチ３８を有する。切り替え位置間を移動可能なスイッチ部材１５は、ベアリング部材４９上に配置され、スイッチ部材１５は、第１のベンド部２７が塞がれているばね部材３２によって、第１切り替え位置に押し込まれている。このようにして、引き込み部材３０のためのより長い引き込み経路がデフォルトで（すなわち、排出装置８の取り付けなしで）設けられている。引き込み部材３０とは別個のスイッチ部材１５は、ツールのための受け取り手段を有してもよく、スイッチ部材１５は、ツールの作動によって２つのスイッチング位置の間で切り替えられてもよい。スイッチ部材１５はまた、２部分構成または多数部分構成を有してもよく、作動される第１の部分がベンド部２７を閉塞する第２の部分に移動可能に結合される。
【００３９】
図８は、案内路２６の進行を非常に概略的に示しており、引き込み部材３０の引き込み位置５１から始まる案内路２６は、直線移動経路２６ａと、引き込み部材３０を解放可能に係止するために長手方向に互いに離間した少なくとも２つのベンド部２７、２８を備える。スイッチ部材１５の第１切り替え位置では第１のベンド部２７が塞がれ、ばね装置２９が引っ張られているときに、引き込み部材３０が第２のベンド部２８に入り込む。これに対して、傾動部３６を案内する制御曲線４１は、頂点４４で互いに接続された第１区域４１ａと第２区域４１ｂとを含む。離間している２つのベンド部２７、２８が設けられているとき、制御曲線４１は、理論的には、第２区域４１ａから長手方向に離れたさらなる第３区域４１ｃを必要とする。さらに、傾動部３６の第１区域４１ａまたは第３区域への入り込みは、追加のスイッチ部材１５ａによって制御される必要がある。しかしながら、第１区域４１ａに隣接する第２区域４１ｂを設けることによって、第３区域４１ｃならびに追加のスイッチ部材１５ａを省略することができ、ベンド部２７、２８の選択と制御曲線４１の対応する長さとの両方に対して単一のスイッチ部材１５で十分である。ベンド部２７、２８への引き込み部材３０の両方の変位経路により、力の減少は経路に比例する。第１のベンド部２７が塞がれた、スイッチ部材１５の第１切り替え位置において、傾動部３６は、第１区域４１ａおよび第２区域４１ｂに沿って案内される。逆に、第１のベンド部２７が開放された第２の切り替え位置にスイッチ部材１５があるとき、傾動部３６は制御曲線４１の第１区域４１ａに沿ってのみ案内される。
【００４０】
図９ａは、少し変形された実施形態における家具駆動装置７を示し、スイッチ部材１５は、案内路２６の横方向にさらに配置され、第１切り替え位置において、引き込み部材３０の第１のベンド部２７への入り込みが防止されるように、引き込み部材３０を偏らせる。第１のベンド部２７への引き込み部材３０の入り込みを防止するために、第１切り替え位置において、スイッチ部材１５が第１のベンド部２７を部分的にまたは完全に塞ぐ先の実施形態とは対照的に、この実施形態の可動スイッチ部材１５は、案内路２６の横方向または横方向外側に配置されている。スイッチ部材１５は可動突起を備え、可動突起は、第１切り替え位置（図９ａ）において、ハウジング８のベース５３から突出し、第２切り替え位置において、ハウジング９のベース５３と実質的に同一平面上になり、それにより、引き込み部材３０が第１のベンド部２７内に移動することを可能にする。この場合においても、既に説明したように、家具駆動装置７のハウジング９に後付けされる排出装置８を着脱することにより、スイッチ部材１５を第１切り替え位置と第２切り替え位置とに切り換えることができる。
【００４１】
図９ｂは、第２切り替え位置にあるスイッチ部材１５を備えた家具駆動装置７を示しており、開方向に向かう伸長動作時に、引き込み部材３０が第２のベンド部２７内に延びる。前述の実施形態と同様に、引き込み部材３０は、開方向１２に向かう伸長動作の際に、（スイッチ部材１５が第２の切り替え位置にあるとき）第１のベンド部２７内に入り込む。これは、引き込み部材３０が、ばね装置２９の力により開方向１２に対して横方向の力で案内路２６の側壁５４に押圧されているからである。
【００４２】
図１０ａ〜図１０ｃは、伸長方向１２に沿った、引き込み部材３０の異なる位置での家具駆動装置７の部分断面図を示す。図１０ａでは、スイッチ部材１５は、ハウジング９上に移動可能に配置されており、第１のベンド部２７への引き込み部材３０の入り込みが防止される第１切り替え位置にある。これにより、可動スイッチ部材１５は、案内経路２９の横方向に配置され、伸長方向１２に向かって伸長する際に、引き込み部材３０の入り込みが起きないように、可動スイッチ部材１５は、第１切り替え位置において、引き込み部材３０を偏らせる。したがって、図１０ｂに示すように、引き込み部材３０は、第１のベンド部２７を越えて迂回され、そこで、引き込み部材３０の案内部材３１が、第２のベンド２８内に入り込み、それによって、引き込み部材３０を回転軸４８の周りに回転させる。引き込み部材３０が回転軸４８の周りで回転動作することにより、可動家具部品３は引き込み部材３０から切り離され、伸長方向１２に向かってさらに移動することができる。可動家具部品３が再び閉じられると、引き込み部材３０は、第２のベンド部２８に対して係止位置から解放され、ばね装置２９の力によって可動家具部品３と共に閉位置に引っ張られる。
【００４３】
図１１ａおよび図１１ｂはそれぞれ家具駆動装置７の部分断面図であり、ハウジング９に移動可能に取り付けられたスイッチ部材１５は、第２切り替え位置に位置している。第２切り替え位置では、スイッチ部材１５が引き込み部材３０の動きを妨げないように、スイッチ部材１５は嵌め込まれている。引き込み部材３０の２つの案内部材３１がばね装置２９の力によって案内路２６の側壁５４に押し付けられているので、引き込み部材３０は、伸長方向１２に向かって移動すると、第１のベンド部２７に入り込む。第１のベンド部２７への案内部材４１の入り込みにより、引き込み部材３０が回転軸４８を中心として回転され、可動家具部品３が解放される。図１１ｂは、引き込み部材３０が第１のベンド部２７に解放可能に係止されているのを示している。引き込み部材３０から横方向に突出する２つの案内部材３１により、引き込み部材３０は、ハウジング９の２つのハウジング部分９ａ、９ｂ（図７）の間を両側で案内され、これにより、ハウジング９の２つのハウジング部分９ａ、９ｂ間での引き込み部材３０の望ましくない傾きが防止される。
【００４４】
図１２ａ−１２ｃは、家具駆動装置７への排出装置８の取り付けを示しており、この取り付けによって、スイッチ部材１５は、第１切り替え位置から第２切り替え位置に切り換えられる。スイッチ部材１５は、ハウジング９に移動可能に取り付けられており、図示の実施形態では、取り付け位置で垂直に延びる軸５５の周りに回転可能に取り付けられたロッカ（rocker）として構成されている。スイッチ部材１５は、ばね部材３２の予め定められた力（例えば、板バネの形態）によって第１切り替え位置に保持されており、排出装置８が装着されていないときに、引き込み部材３０は案内路２６の第２のベンド部２８に係止され、また、ばね装置２９のより大きな収縮力を伴う、引き込み部材３０のためのより長い引き込み経路が提供される。家具駆動装置７のハウジング９は、ハウジング９の長手方向に延びる少なくとも１つのガイド５６を有し、その中に排出装置８のリム５９を挿入することができる。したがって、排出装置８は、リム５９を介してガイド５６内に押し込まれ、スイッチ部材１５は、垂直方向に延びる軸５５を中心として回転され、それと共に、第２切り替え位置に切り換えられ、その結果、引き込み部材３０が第１のベンド部２７内に入り込む。このようにして、ばね装置２９の引っ込み力が低減された、引き込み部材３０のより短い引き込み経路が利用可能となる。リム５９がガイド５６に完全に押し込まれると、家具駆動装置７のハウジング９の少なくとも１つのラッチ部材５７（好ましくはノブ）を、排出装置８のリム５８の対応する凹部５８に解放可能に留めることができる。このようにして、排出装置８は、ハウジング９の長手方向に予め定められた保持力で固定される。
【図１】
0006393429.tif 000002
【図２ａ】
0006393429.tif 000003
【図２ｂ】
0006393429.tif 000004
【図３ａ】
0006393429.tif 000005
【図３ｂ】
0006393429.tif 000006
【図３ｃ】
0006393429.tif 000007
【図４ａ】
0006393429.tif 000008
【図４ｂ】
0006393429.tif 000009
【図４ｃ】
0006393429.tif 000010
【図５ａ】
0006393429.tif 000011
【図５ｂ】
0006393429.tif 000012
【図５ｃ】
0006393429.tif 000013
【図５ｄ】
0006393429.tif 000014
【図６ａ】
0006393429.tif 000015
【図６ｂ】
0006393429.tif 000016
【図６ｃ】
0006393429.tif 000017
【図６ｄ】
0006393429.tif 000018
【図７】
0006393429.tif 000019
【図８】
0006393429.tif 000020
【図９ａ】
0006393429.tif 000021
【図９ｂ】
0006393429.tif 000022
【図１０ａ】
0006393429.tif 000023
【図１０ｂ】
0006393429.tif 000024
【図１０ｃ】
0006393429.tif 000025
【図１１ａ】
0006393429.tif 000026
【図１１ｂ】
0006393429.tif 000027
【図１２ａ】
0006393429.tif 000028
【図１２ｂ】
0006393429.tif 000029
【図１２ｃ】
0006393429.tif 000030